(57)【要約】  表示装置に好適な画像を再生する再生方法を提供する。再生方法は、同一シーンを示す静止画である高品位画像および第１低品位画像と、変換判定用情報とを取得する取得ステップと、表示装置が高品位画像を表示可能か否かを判定する第１判定ステップと、表示装置が高品位画像を表示可能である場合は高品位画像を再生する第１再生ステップと、表示装置が高品位画像を表示可能でない場合は、変換判定用情報を用いて、第２低品位画像を生成するか否かを判定する第２判定ステップと、第２低品位画像を生成しないと判定された場合は第１低品位画像を再生する第２再生ステップと、第２低品位画像を生成すると判定された場合は、高品位画像から第２低品位画像を生成し、当該第２低品位画像を再生する第３再生ステップと、を含む。
2018062062.tif 000002
【特許請求の範囲】
【請求項１】
画像を再生し、再生した画像を表示装置に出力する再生方法であって、
同一シーンを示す静止画である高品位画像および第１低品位画像と、変換判定用情報とを取得する取得ステップと、
前記表示装置が前記高品位画像を表示可能か否かを判定する第１判定ステップと、
前記表示装置が前記高品位画像を表示可能である場合は前記高品位画像を再生する第１再生ステップと、
前記表示装置が前記高品位画像を表示可能でない場合は、前記変換判定用情報を用いて、第２低品位画像を生成するか否かを判定する第２判定ステップと、
前記第２低品位画像を生成しないと判定された場合は前記第１低品位画像を再生する第２再生ステップと、
前記第２低品位画像を生成すると判定された場合は、前記高品位画像から前記第２低品位画像を生成し、当該第２低品位画像を再生する第３再生ステップと、を含む、
再生方法。
【請求項２】
前記変換判定用情報は、前記高品位画像の輝度範囲に関する情報である、
請求項１記載の再生方法。
【請求項３】
前記変換判定用情報は、前記第１低品位画像の情報であり、
前記第２判定ステップでは、前記変換判定用情報と前記表示装置の性能とに基づき、前記第２低品位画像を生成するか否かを判定する、
請求項１記載の再生方法。
【請求項４】
前記変換判定用情報は、前記第１低品位画像の生成に用いられたパラメータである、
請求項３記載の再生方法。
【請求項５】
前記変換判定用情報は、前記高品位画像の撮影に関する情報である、
請求項１記載の再生方法。
【請求項６】
前記変換判定用情報は、前記高品位画像の撮影に用いられた撮影モードを示し、
前記第２判定ステップでは、前記撮影モードが予め定められたモードである場合は、前記第２低品位画像を生成する、と判定する、
請求項５記載の再生方法。
【請求項７】
前記再生方法は、さらに、
前記第２低品位画像を生成すると判定された場合に、前記第２低品位画像の生成に用いられたパラメータを記録媒体に書き込む書き込みステップを含む、
請求項１〜６のいずれか１項に記載の再生方法。
【請求項８】
ＲＡＷデータを取得する取得ステップと、
前記ＲＡＷデータから静止画である高品位画像を生成する第１生成ステップと、
前記ＲＡＷデータから前記高品位画像と同一シーンを示す第１低品位画像を生成する第２生成ステップと、
前記高品位画像と、前記第１低品位画像と、再生装置に接続されている表示装置が前記高品位画像を表示可能でない場合において、前記再生装置が、（１）前記第１低品位画像を再生するか、（２）前記高品位画像から第２低品位画像を生成し、当該第２低品位画像を再生するか、を前記再生装置が判定するための変換判定用情報と、を出力する出力ステップと、を含む、
生成方法。
【請求項９】
前記変換判定用情報は、前記高品位画像の輝度範囲に関する情報である、
請求項８記載の生成方法。
【請求項１０】
前記変換判定用情報は、前記第１低品位画像の情報である、
請求項８記載の生成方法。
【請求項１１】
前記変換判定用情報は、前記第１低品位画像の生成に用いられたパラメータである、
請求項１０記載の生成方法。
【請求項１２】
前記変換判定用情報は、前記高品位画像の撮影に関する情報である、
請求項８記載の生成方法。
【請求項１３】
前記変換判定用情報は、前記高品位画像の撮影に用いられた撮影モードを示す、
請求項１２記載の生成方法。
【請求項１４】
画像を再生し、再生した画像を表示装置に出力する再生装置であって、
同一シーンを示す静止画である高品位画像および第１低品位画像と、変換判定用情報とを取得する取得部と、
前記表示装置が前記高品位画像を表示可能か否かを判定し、前記表示装置が前記高品位画像を表示可能でない場合は、前記変換判定用情報を用いて、第２低品位画像を生成するか否かを判定する判定部と、
（１）前記表示装置が前記高品位画像を表示可能である場合は前記高品位画像を再生し、（２）前記第２低品位画像を生成しないと判定された場合は前記第１低品位画像を再生し、（３）前記第２低品位画像を生成すると判定された場合は、前記高品位画像から前記第２低品位画像を生成し、当該第２低品位画像を再生する再生部と、を備える、
再生装置。
【請求項１５】
ＲＡＷデータを取得する取得部と、
前記ＲＡＷデータから静止画である高品位画像を生成する第１生成部と、
前記ＲＡＷデータから前記高品位画像と同一シーンを示す第１低品位画像を生成する第２生成部と、
前記高品位画像と、前記第１低品位画像と、再生装置に接続された表示装置が前記高品位画像を表示可能でない場合において、前記再生装置が、（１）前記第１低品位画像を再生するか、（２）前記高品位画像から第２低品位画像を生成し、当該第２低品位画像を再生するか、を前記再生装置が判定するための変換判定用情報と、を出力する出力部と、を備える、
生成装置。
【請求項１６】
静止画である高品位画像と、
前記高品位画像と同一シーンを示す第１低品位画像と、
再生装置に接続された表示装置が前記高品位画像を表示可能でない場合において、前記再生装置が、（１）前記第１低品位画像を再生するか、（２）前記高品位画像から第２低品位画像を生成し、当該第２低品位画像を再生するか、を前記再生装置が判定するための変換判定用情報と、が記録されている、
記録媒体。
【請求項１７】
静止画である高品位画像と、
再生装置に接続された表示装置が前記高品位画像を表示可能でない場合において、前記再生装置が、前記高品位画像から第２低品位画像を生成し、当該第２低品位画像を再生するか否かを前記再生装置が判定するための変換判定用情報と、が記録されている、
記録媒体。
【発明の詳細な説明】
【技術分野】
【０００１】
本開示は、再生方法、生成方法、再生装置、生成装置、および記録媒体に関する。
【背景技術】
【０００２】
特許文献１は、静止画を撮影し、撮影した静止画のデータを記録媒体に記録する技術を開示する。【０００３】
例えばデジタルカメラ等の撮影装置の画素数は年々増加しており、近年では画素数が６００万を超える撮影装置や、画素数が１０００万を超える撮影装置もある。一方、動画を表示するテレビジョン受信機（以下、「テレビ」と記す）等の表示装置の解像度は、Ｓｔａｎｄａｒｄ  Ｄｅｆｉｎｉｔｉｏｎ（ＳＤ）の７２０×４８０画素（約３４万画素）から、Ｈｉｇｈ  Ｄｅｆｉｎｉｔｉｏｎ（ＨＤ）の１９２０×１０８０画素（約２００万画素、２Ｋ画像）、Ｕｌｔｒａ  Ｈｉｇｈ  Ｄｅｆｉｎｉｔｉｏｎ（ＵＨＤ）の３８４０×２１６０画素（約８３０万画素、４Ｋ画像）、４０９６×２１６０画素（約８８５万画素、ＤＣＩ４Ｋ）、さらに、７６８０×４３２０画素（約３３１８万画素、８Ｋ画像）と増加している。このように、表示装置の高画質化が進んでいる。【０００４】
このような表示装置（例えば、テレビ）の高画質化により、撮影装置（例えば、デジタルカメラ）で撮影された写真（静止画）を表示装置（例えば、テレビ）で表示する機会が増えてきている。【０００５】
また、表示装置（例えば、テレビ）に関しては、４Ｋ画像の表示技術と共に、ダイナミックレンジ拡張技術も提案されている。具体的には、暗部階調を維持しつつ、現行のテレビ信号では表現が困難な鏡面反射光等の明るい光を、より現実に近い明るさで表現するための方式として、ＨＤＲ（Ｈｉｇｈ  Ｄｙｎａｍｉｃ  Ｒａｎｇｅ）技術（以下、「ＨＤＲ」と記す）が提案されている。
【先行技術文献】
【特許文献】
【０００６】
【特許文献１】特開平０１−２４３６８６号公報
【発明の概要】
【０００７】
このようなＨＤＲを写真等の静止画に活用することが望まれている。また、ＨＤＲに非対応の従来の表示装置においても、ＨＤＲの動画または静止画を表示できることが望まれている。さらに、表示装置はＨＤＲに非対応であるが、レコーダ等の再生装置がＨＤＲに対応しているケースも想定される。このような場合に、再生装置は、当該再生装置に接続されている表示装置においてより好適な画像を再生できることが好ましい。
【０００８】
本開示は、表示装置に好適な画像を再生できる再生方法、生成方法、再生装置、生成装置、または記録媒体を提供する。
【０００９】
本開示の一態様に係る再生方法は、画像を再生し、再生した画像を表示装置に出力する再生方法であって、同一シーンを示す静止画である高品位画像および第１低品位画像と、変換判定用情報とを取得する取得ステップと、前記表示装置が前記高品位画像を表示可能か否かを判定する第１判定ステップと、前記表示装置が前記高品位画像を表示可能である場合は前記高品位画像を再生する第１再生ステップと、前記表示装置が前記高品位画像を表示可能でない場合は、前記変換判定用情報を用いて、第２低品位画像を生成するか否かを判定する第２判定ステップと、前記第２低品位画像を生成しないと判定された場合は前記第１低品位画像を再生する第２再生ステップと、前記第２低品位画像を生成すると判定された場合は、前記高品位画像から前記第２低品位画像を生成し、当該第２低品位画像を再生する第３再生ステップと、を含む。
【００１０】
本開示の一態様に係る生成方法は、ＲＡＷデータを取得する取得ステップと、前記ＲＡＷデータから静止画である高品位画像を生成する第１生成ステップと、前記ＲＡＷデータから前記高品位画像と同一シーンを示す第１低品位画像を生成する第２生成ステップと、前記高品位画像および前記第１低品位画像を出力するとともに、再生装置に接続されている表示装置が前記高品位画像を表示可能でない場合において、前記再生装置が、（１）前記第１低品位画像を再生するか、（２）前記高品位画像から第２低品位画像を生成し、当該第２低品位画像を再生するか、を前記再生装置が判定するための変換判定用情報を出力する出力ステップと、を含む。
【００１１】
本開示の一態様に係る記録媒体は、静止画である高品位画像と、前記高品位画像と同一シーンを示す第１低品位画像と、再生装置に接続された表示装置が前記高品位画像を表示可能でない場合において、前記再生装置が、（１）前記第１低品位画像を再生するか、（２）前記高品位画像から第２低品位画像を生成し、当該第２低品位画像を再生するか、を前記再生装置が判定するための変換判定用情報と、が記録されている。
【００１２】
本開示の他の一態様に係る記録媒体は、静止画である高品位画像と、再生装置に接続された表示装置が前記高品位画像を表示可能でない場合において、前記再生装置が、前記高品位画像から第２低品位画像を生成し、当該第２低品位画像を再生するか否かを前記再生装置が判定するための変換判定用情報と、が記録されている。
【００１３】
本開示は、表示装置に好適な画像を再生できる再生方法、生成方法、再生装置、生成装置、または記録媒体を提供できる。
【図面の簡単な説明】
【００１４】
【図１Ａ】図１Ａは、実施の形態１における再生システムの構成の一例を模式的に示す図である。
【図１Ｂ】図１Ｂは、実施の形態１における再生システムの構成の一例を模式的に示す図である。
【図２Ａ】図２Ａは、実施の形態１における画像データの構成例の一例を模式的に示す図である。
【図２Ｂ】図２Ｂは、実施の形態１における画像データの構成例の一例を模式的に示す図である。
【図３】図３は、実施の形態１における生成装置の構成例の一例を模式的に示すブロック図である。
【図４】図４は、実施の形態１における再生装置の構成例の一例を模式的に示すブロック図である。
【図５】図５は、実施の形態１における再生装置による再生処理の一例を示すフローチャートである。
【図６】図６は、実施の形態１における変換判定用情報の構成の一例を模式的に示す図である。
【図７】図７は、実施の形態１における判定処理の一例を示すフローチャートである。
【図８】図８は、実施の形態１における判定処理の他の一例を示すフローチャートである。
【図９】図９は、実施の形態１における判定処理のさらに他の一例を示すフローチャートである。
【図１０】図１０は、実施の形態１における生成装置による画像データ生成処理の一例を示すフローチャートである。
【発明を実施するための形態】
【００１５】
本開示の一態様に係る再生方法は、画像を再生し、再生した画像を表示装置に出力する再生方法であって、同一シーンを示す静止画である高品位画像および第１低品位画像と、変換判定用情報とを取得する取得ステップと、前記表示装置が前記高品位画像を表示可能か否かを判定する第１判定ステップと、前記表示装置が前記高品位画像を表示可能である場合は前記高品位画像を再生する第１再生ステップと、前記表示装置が前記高品位画像を表示可能でない場合は、第２低品位画像を生成するか否かを前記変換判定用情報を用いて判定する第２判定ステップと、前記第２低品位画像を生成しないと判定された場合は前記第１低品位画像を再生する第２再生ステップと、前記第２低品位画像を生成すると判定された場合は、前記高品位画像から前記第２低品位画像を生成し、当該第２低品位画像を再生する第３再生ステップと、を含む。
【００１６】
この再生方法によれば、表示装置が高品位画像を表示可能でない場合に、第１低品位画像をそのまま再生するか、高品位画像から第２低品位画像を生成し、当該第２低品位画像を再生するか、を変換判定用情報を用いて判定できる。これにより、当該再生方法は、当該再生画像を表示する表示装置に好適な画像を再生できる。
【００１７】
例えば、前記再生方法において、前記変換判定用情報は、前記高品位画像の輝度範囲に関する情報であってもよい。
【００１８】
この再生方法によれば、第２低品位画像を再生するか否かを、高品位画像の輝度範囲に基づき判定できる。
【００１９】
例えば、前記再生方法において、前記変換判定用情報は、前記第１低品位画像の情報であってもよい。前記第２判定ステップでは、前記変換判定用情報と前記表示装置の性能とに基づき、前記第２低品位画像を生成するか否かを判定してもよい。
【００２０】
この再生方法によれば、第２低品位画像を再生するか否かを、第１低品位画像の情報に基づき判定できる。
【００２１】
例えば、前記再生方法において、前記変換判定用情報は、前記第１低品位画像の生成に用いられたパラメータであってもよい。
【００２２】
この再生方法によれば、第１低品位画像の生成に用いられたパラメータに基づき、第２低品位画像を再生するか否かを判定できる。
【００２３】
例えば、前記再生方法において、前記変換判定用情報は、前記高品位画像の撮影に関する情報であってもよい。
【００２４】
この再生方法によれば、高品位画像の撮影に関する情報に基づき、第２低品位画像を再生するか否かを判定できる。
【００２５】
例えば、前記再生方法において、前記変換判定用情報は、前記高品位画像の撮影に用いられた撮影モードを示してもよい。前記第２判定ステップでは、前記撮影モードが予め定められた撮影モードである場合は、前記第２低品位画像を生成する、と判定してもよい。
【００２６】
この再生方法によれば、高品位画像の撮影に用いられた撮影モードに基づき、第２低品位画像を再生するか否かを判定できる。
【００２７】
例えば、前記再生方法は、前記第２低品位画像を生成すると判定された場合に、前記第２低品位画像の生成に用いられたパラメータを記録媒体に書き込む書き込みステップをさらに含んでもよい。
【００２８】
この再生方法によれば、第２低品位画像の再生を再度行う場合の処理量を低減できる。
【００２９】
本開示の一態様に係る生成方法は、ＲＡＷデータを取得する取得ステップと、前記ＲＡＷデータから静止画である高品位画像を生成する第１生成ステップと、前記ＲＡＷデータから前記高品位画像と同一シーンを示す第１低品位画像を生成する第２生成ステップと、前記高品位画像および前記第１低品位画像を出力するとともに、再生装置に接続されている表示装置が前記高品位画像を表示可能でない場合において、前記再生装置が、（１）前記第１低品位画像を再生するか、（２）前記高品位画像から第２低品位画像を生成し、当該第２低品位画像を再生するか、を前記再生装置が判定するための変換判定用情報を出力する出力ステップと、を含む。
【００３０】
この生成方法によれば、高品位画像と第１低品位画像と変換判定用情報とが出力される。したがって、それらの画像および情報を取得した再生装置は、当該再生装置に接続されている表示装置が高品位画像を表示可能でない場合に、第１低品位画像をそのまま再生するか、高品位画像から第２低品位画像を生成し、当該第２低品位画像を再生するか、を変換判定用情報を用いて判定できる。これにより、再生装置は、当該再生装置に接続されている表示装置に好適な画像を再生できる。
【００３１】
例えば、前記生成方法において、前記変換判定用情報は、前記高品位画像の輝度範囲に関する情報であってもよい。
【００３２】
この生成方法によれば、当該変換判定用情報を取得した再生装置は、高品位画像の輝度範囲に基づき、第２低品位画像を再生するか否かを判定できる。
【００３３】
例えば、前記生成方法において、前記変換判定用情報は、前記第１低品位画像の情報であってもよい。
【００３４】
この生成方法によれば、当該変換判定用情報を取得した再生装置は、第１低品位画像の情報に基づき、第２低品位画像を再生するか否かを判定できる。
【００３５】
例えば、前記生成方法において、前記変換判定用情報は、前記第１低品位画像の生成に用いられたパラメータであってもよい。
【００３６】
この生成方法によれば、当該変換判定用情報を取得した再生装置は、第１低品位画像の生成に用いられたパラメータに基づき、第２低品位画像を再生するか否かを判定できる。
【００３７】
例えば、前記生成方法において、前記変換判定用情報は、前記高品位画像の撮影に関する情報であってもよい。
【００３８】
この生成方法によれば、当該変換判定用情報を取得した再生装置は、高品位画像の撮影に関する情報に基づき、第２低品位画像を再生するか否かを判定できる。
【００３９】
例えば、前記生成方法において、前記変換判定用情報は、前記高品位画像の撮影に用いられた撮影モードを示してもよい。
【００４０】
この生成方法によれば、当該変換判定用情報を取得した再生装置は、高品位画像の撮影に用いられた撮影モードに基づき、第２低品位画像を再生するか否かを判定できる。
【００４１】
本開示の一態様に係る再生装置は、画像を再生し、再生した画像を表示装置に出力する再生装置であって、同一シーンを示す静止画である高品位画像および第１低品位画像と、変換判定用情報とを取得する取得部と、前記表示装置が前記高品位画像を表示可能か否かを判定し、前記表示装置が前記高品位画像を表示可能でない場合は、第２低品位画像を生成するか否かを前記変換判定用情報を用いて判定する判定部と、（１）前記表示装置が前記高品位画像を表示可能である場合は前記高品位画像を再生し、（２）前記第２低品位画像を生成しないと判定された場合は前記第１低品位画像を再生し、（３）前記第２低品位画像を生成すると判定された場合は、前記高品位画像から前記第２低品位画像を生成し、当該第２低品位画像を再生する再生部と、を備える。
【００４２】
この構成によれば、当該再生装置は、当該再生装置に接続されている表示装置が高品位画像を表示可能か否かを判定し、表示可能でない場合は、第１低品位画像をそのまま再生するか、高品位画像から第２低品位画像を生成し、当該第２低品位画像を再生するか、を変換判定用情報を用いて判定できる。これにより、当該再生装置は、当該再生装置に接続されている表示装置に好適な画像を再生できる。
【００４３】
本開示の一態様に係る生成装置は、ＲＡＷデータを取得する取得部と、前記ＲＡＷデータから静止画である高品位画像を生成する第１生成部と、前記ＲＡＷデータから前記高品位画像と同一シーンを示す第１低品位画像を生成する第２生成部と、前記高品位画像および前記第１低品位画像を出力するとともに、再生装置に接続された表示装置が前記高品位画像を表示可能でない場合において、前記再生装置が、（１）前記第１低品位画像を再生するか、（２）前記高品位画像から第２低品位画像を生成し、当該第２低品位画像を再生するか、を前記再生装置が判定するための変換判定用情報を出力する出力部と、を備える。
【００４４】
この構成によれば、生成装置から、高品位画像と第１低品位画像と変換判定用情報とが出力される。したがって、それらの画像および情報を取得した再生装置は、当該再生装置に接続されている表示装置が高品位画像を表示可能でない場合に、第１低品位画像をそのまま再生するか、高品位画像から第２低品位画像を生成し、当該第２低品位画像を再生するか、を変換判定用情報を用いて判定できる。これにより、再生装置は、当該再生装置に接続されている表示装置に好適な画像を再生できる。
【００４５】
本開示の一態様に係る記録媒体は、静止画である高品位画像と、前記高品位画像と同一シーンを示す第１低品位画像と、再生装置に接続された表示装置が前記高品位画像を表示可能でない場合において、前記再生装置が、（１）前記第１低品位画像を再生するか、（２）前記高品位画像から第２低品位画像を生成し、当該第２低品位画像を再生するか、を前記再生装置が判定するための変換判定用情報と、が記録されている。
【００４６】
この構成によれば、記録媒体には、高品位画像と第１低品位画像と変換判定用情報とが記録されている。したがって、それらの画像および情報を取得した再生装置は、当該再生装置に接続されている表示装置が高品位画像を表示可能でない場合に、第１低品位画像をそのまま再生するか、高品位画像から第２低品位画像を生成し、当該第２低品位画像を再生するか、を変換判定用情報を用いて判定できる。これにより、再生装置は、当該再生装置に接続されている表示装置に好適な画像を再生できる。
【００４７】
本開示の他の一態様に係る記録媒体は、静止画である高品位画像と、再生装置に接続された表示装置が前記高品位画像を表示可能でない場合において、前記再生装置が、前記高品位画像から第２低品位画像を生成し、当該第２低品位画像を再生するか否かを前記再生装置が判定するための変換判定用情報と、が記録されている。
【００４８】
この構成によれば、記録媒体には、高品位画像と変換判定用情報とが記録されている。したがって、それらの画像および情報を取得した再生装置は、当該再生装置に接続されている表示装置が高品位画像を表示可能でない場合に、高品位画像から第２低品位画像を生成し、当該第２低品位画像を再生するか否かを、変換判定用情報を用いて判定できる。これにより、再生装置は、当該再生装置に接続されている表示装置に好適な画像を再生できる。
【００４９】
なお、これらの包括的または具体的な態様は、システム、方法、集積回路、コンピュータプログラムまたはコンピュータ読み取り可能なＣＤ−ＲＯＭ（Ｃｏｍｐａｃｔ  Ｄｉｓｃ  Ｒｅａｄ  Ｏｎｌｙ  Ｍｅｍｏｒｙ）などの記録媒体で実現されてもよく、システム、方法、集積回路、コンピュータプログラムおよび記録媒体の任意な組み合わせで実現されてもよい。
【００５０】
以下、実施の形態について、図面を参照しながら具体的に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００５１】
なお、添付図面および以下で説明する実施の形態は、当業者が本開示を十分に理解するために提供されるのであって、いずれも本開示の一具体例を示すものである。以下の実施の形態で示される数値、形状、材料、構成要素、構成要素の配置位置および接続形態、ステップ、ステップの順序などは、一例であり、これらにより特許請求の範囲に記載の主題を限定することは意図されていない。また、以下の実施の形態における構成要素のうち、最上位概念を示す独立請求項に記載されていない構成要素については、任意の構成要素として説明される。
【００５２】
また、各図は、必ずしも厳密に図示されたものではなく、本開示をわかりやすく示すために適宜省略等を行った模式図である。また、各図において、実質的に同じ構成要素については同じ符号を付し、説明を省略または簡略化する場合がある。
【００５３】
（１．実施の形態１）
（１−１．構成）
まず、本実施の形態に係る再生システムの構成を説明する。
【００５４】
図１Ａおよび図１Ｂは、実施の形態１における再生システムの構成の一例を模式的に示す図である。
【００５５】
再生システムは、生成装置１０１と、再生装置１０３と、表示装置１０４と、を備えている。なお、本実施の形態では、便宜的に、再生システムを、生成装置１０１側の再生システム１００Ａと、再生装置１０３側の再生システム１００Ｂと、に分けて説明する。
【００５６】
なお、図１Ａには、再生システムのうち、画像データ１１１を生成して記録媒体１０２に記録する生成装置１０１を備えた生成装置１０１側の再生システム１００Ａを概略的に示す。図１Ｂには、再生システムのうち、記録媒体１０２に記録された画像データ１１１を表示するための再生装置１０３と表示装置１０４とを備えた再生装置１０３側の再生システム１００Ｂを概略的に示す。
【００５７】
図１Ａに示す生成装置１０１は、デジタルビデオカメラ、デジタルスチルカメラ、またはスマートフォン等の撮影装置である。生成装置１０１は、撮影を行うことで、静止画である画像データ１１１を生成する。なお、生成装置１０１は、撮影装置等で生成された画像データを編集する編集装置であってもよい。
【００５８】
図１Ａに例示するように、生成装置１０１は、生成した画像データ１１１を、ＣＦ（コンパクトフラッシュ（登録商標））カード、ＵＳＢ（Ｕｎｉｖｅｒｓａｌ  Ｓｅｒｉａｌ  Ｂｕｓ）メモリ、またはＳＤ（Ｓｅｃｕｒｅ  Ｄｉｇｉｔａｌ）メモリカード等の記録媒体１０２に記録する。画像データ１１１を記録した記録媒体１０２が、生成装置１０１から取り外されて他の装置（例えば、再生装置１０３）に接続されることで、画像データ１１１をその装置（例えば、再生装置１０３）に伝送することが可能である。
【００５９】
なお、上述した画像データ１１１の伝送方法は、本実施の形態における一例である。本開示において、画像データ１１１の伝送方法は、記録媒体１０２を介した伝送に限定されない。例えば、光ディスクまたは磁気ディスク等の記録媒体を介して画像データ１１１が伝送さてもよい。例えば、画像データ１１１の一部または全てが、有線通信または無線通信により、生成装置１０１から他の装置（例えば、再生装置１０３）に伝送されてもよい。また、画像データ１１１は、生成装置１０１から他の装置（例えば、再生装置１０３）に直接的に伝送されなくてもよい。例えば、画像データ１１１の一部または全てが、生成装置１０１から、さらに他の機器（例えば、ルータ、サーバ、等）を介して、他の装置（例えば、再生装置１０３）に伝送されてもよい。
【００６０】
図１Ｂに示す再生装置１０３は、ブルーレイ（登録商標）レコーダ、またはブルーレイ（登録商標）プレーヤー等の再生装置である。再生装置１０３は、画像データ１１１を再生して得られた画像を表示装置１０４に表示する。表示装置１０４は、例えば、液晶ディスプレイ装置、または有機ＥＬ（Ｅｌｅｃｔｒｏ  Ｌｕｍｉｎｅｓｃｅｎｃｅ）ディスプレイ装置、等である。
【００６１】
図２Ａは、実施の形態１における画像データ１１１の構成の一例を模式的に示す図である。
【００６２】
図２Ｂは、実施の形態１における画像データ１１１の構成の他の一例を模式的に示す図である。
【００６３】
なお、図２Ａには、画像データ１１１が１つの記録媒体１０２に記録されている例を示し、図２Ｂには、画像データ１１１が画像データ１１１Ａおよび画像データ１１１Ｂに分割されて２つの記録媒体１０２Ａおよび記録媒体１０２Ｂに記録されている例を示す。
【００６４】
図２Ａに示すように、画像データ１１１は、ＨＤＲ画像１１２と、ＳＤＲ（Ｓｔａｎｄａｒｄ  Ｄｙｎａｍｉｃ  Ｒａｎｇｅ）画像１１３と、変換判定用情報１１４と、含む。あるいは、図２Ｂに示すように、画像データ１１１Ａは、ＨＤＲ画像１１２と、変換判定用情報１１４と、を含み、画像データ１１１Ｂは、ＳＤＲ画像１１３を含む。
【００６５】
ＨＤＲ画像１１２は、ＨＤＲに対応した静止画の画像データ（ＨＤＲ画像データ）であり、ヘッダ１１２Ａが付与されている。ＳＤＲ画像１１３は、ＳＤＲに対応した静止画の画像データ（ＳＤＲ画像データ）であり、ヘッダ１１３Ａが付与されている。また、ＨＤＲ画像１１２の輝度範囲（ダイナミックレンジ）はＳＤＲ画像１１３の輝度範囲（ダイナミックレンジ）より広い。具体的には、ＨＤＲ画像１１２の最高輝度は、ＳＤＲ画像１１３の最高輝度よりも高い。
【００６６】
変換判定用情報１１４は、再生装置１０３が、（１）ＨＤＲ画像１１２を再生するか、（２）ＳＤＲ画像１１３を再生するか、あるいは、（３）ＨＤＲ画像１１２から変換ＳＤＲ画像１３２を生成し、変換ＳＤＲ画像１３２を再生するか、を判定するための情報である。
【００６７】
なお、図２Ａには、変換判定用情報１１４を、ヘッダ１１２Ａおよびヘッダ１１３Ａとは個別の情報として示しているが、変換判定用情報１１４は、ヘッダ１１２Ａまたはヘッダ１１３Ａに含まれていてもよい。
【００６８】
また、図２Ａには、ＨＤＲ画像１１２とＳＤＲ画像１１３と変換判定用情報１１４とが１つの画像データ１１１として記録媒体１０２に記録される例を示しているが、ＨＤＲ画像１１２とＳＤＲ画像１１３と変換判定用情報１１４とのうちの少なくとも一部が個別のデータとして他の記録媒体１０２に記録されてもよい。
【００６９】
なお、図２Ｂには、ＨＤＲ画像１１２と変換判定用情報１１４とを含む画像データ１１１Ａを１つの記録媒体１０２Ａに記録し、ＳＤＲ画像１１３を含む画像データ１１１Ｂを他の１つの記録媒体１０２Ｂに記録した例を示している。
【００７０】
次に、生成装置１０１の構成を説明する。
【００７１】
図３は、実施の形態１における生成装置１０１の構成の一例を模式的に示すブロック図である。
【００７２】
図３に例示するように、生成装置１０１は、ＲＡＷ画像取得部１２１と、ＨＤＲ画像生成部１２２と、ＳＤＲ画像生成部１２３と、出力部１２４と、を備える。
【００７３】
なお、図３に示す構成要素は、生成装置１０１が備える構成要素の一部である。図３では、例えば電源回路等の他の構成要素の図示を省略している。
【００７４】
ＲＡＷ画像取得部１２１は、例えば、撮像部である。ＲＡＷ画像取得部１２１は、静止画撮影を行うことにより、静止画のＲＡＷデータ１３１を取得（生成）する。
【００７５】
ＨＤＲ画像生成部１２２は、ＲＡＷデータ１３１に色補正（グレーディング）等を行うことで、ＨＤＲ画像１１２を生成する。例えば、ＨＤＲ画像生成部１２２は、ＨＤＲ−ＥＯＴＦ（Ｅｌｅｃｔｒｏ  Ｏｐｔｉｃａｌ  Ｔｒａｎｓｆｅｒ  Ｆｕｎｃｔｉｏｎ）を用いて、ＲＡＷデータ１３１から１０ビットのＨＤＲ画像１１２を生成する。
【００７６】
ＳＤＲ画像生成部１２３は、ＲＡＷデータ１３１からＳＤＲ画像１１３を生成する。例えば、ＳＤＲ画像生成部１２３は、ＳＤＲ−ＥＯＴＦを用いて、ＲＡＷデータ１３１から８ビットのＳＤＲ画像１１３を生成する。
【００７７】
なお、上述したＨＤＲ画像１１２およびＳＤＲ画像１１３のビット数は単なる一例であり、本開示においてＨＤＲ画像１１２およびＳＤＲ画像１１３のビット数は、何ら上述したビット数に限定されない。
【００７８】
出力部１２４は、ＨＤＲ画像１１２およびＳＤＲ画像１１３を含む画像データ１１１を出力する。そして、出力部１２４は、画像データ１１１を、１つの記録媒体１０２に記録する。または、出力部１２４は、画像データ１１１を複数の画像データ（例えば、画像データ１１１Ａおよび画像データ１１１Ｂ）に分割し、それらを複数の記録媒体１０２（例えば、記録媒体１０２Ａおよび記録媒体１０２Ｂ）のそれぞれに記録してもよい。
【００７９】
なお、出力部１２４は、ＨＤＲ画像１１２およびＳＤＲ画像１１３を、個別のデータとして出力してもよい。また、出力部１２４は、ＨＤＲ画像１１２およびＳＤＲ画像１１３の各々を、所定の画像フォーマットに変換してもよく、所定の画像フォーマットに従いパッケージ化してもよい。また、出力部１２４は、ＨＤＲ画像１１２およびＳＤＲ画像１１３の各々、または、画像データ１１１を、圧縮符号化してもよい。
【００８０】
次に、再生装置１０３の構成を説明する。
【００８１】
図４は、実施の形態１における再生装置１０３の構成の一例を模式的に示すブロック図である。
【００８２】
図４に例示するように、再生装置１０３は、取得部１４１と、判定部１４２と、変換部１４３と、再生部１４４と、書き出し部１４５と、を備える。
【００８３】
なお、図４に示す構成要素は、再生装置１０３が備える構成要素の一部である。図４では、例えば電源回路等の他の構成要素の図示を省略している。
【００８４】
なお、図４には、再生装置１０３に画像データ１１１を提供する記録媒体１０２と、画像データ１１１が再生装置１０３で再生されて得られた画像信号を表示する表示装置１０４と、をあわせて示している。
【００８５】
なお、図４には、再生装置１０３に画像データ１１１Ａを提供する記録媒体１０２Ａ、および再生装置１０３に画像データ１１１Ｂを提供する記録媒体１０２Ｂを示しているが、１つの記録媒体１０２から再生装置１０３に画像データ１１１が提供されてもよい。
【００８６】
なお、本実施の形態では、記録媒体１０２Ａおよび記録媒体１０２Ｂを総称して記録媒体１０２と呼び、画像データ１１１Ａおよび画像データ１１１Ｂを総称して画像データ１１１と呼ぶ。すなわち、本実施の形態では、記録媒体１０２は、単体の記録媒体１０２でもよく、記録媒体１０２Ａおよび記録媒体１０２Ｂであってもよい。また、画像データ１１１は、単体の画像データ１１１でもよく、画像データ１１１Ａおよび画像データ１１１Ｂであってもよい。
【００８７】
取得部１４１は、記録媒体１０２から画像データ１１１を取得する。
【００８８】
判定部１４２は、（１）ＨＤＲ画像１１２を再生するか、（２）ＳＤＲ画像１１３を再生するか、（３）ＨＤＲ画像１１２から変換ＳＤＲ画像１３２を生成し、変換ＳＤＲ画像１３２を再生するか、を判定する。
【００８９】
判定部１４２が、（１）ＨＤＲ画像１１２を再生する、と判定した場合は、取得部１４１から出力されたＨＤＲ画像１１２が再生部１４４で再生される。判定部１４２が、（２）ＳＤＲ画像１１３を再生する、と判定した場合は、取得部１４１から出力されたＳＤＲ画像１１３が再生部１４４で再生される。
【００９０】
判定部１４２が、（３）ＨＤＲ画像１１２から変換ＳＤＲ画像１３２を生成し、変換ＳＤＲ画像１３２を再生する、と判定した場合は、変換部１４３は、ＨＤＲ画像１１２から変換ＳＤＲ画像１３２を生成し、変換部１４３から出力された変換ＳＤＲ画像１３２が再生部１４４で再生される。このように再生部１４４は、ＨＤＲ画像１１２、ＳＤＲ画像１１３、および変換ＳＤＲ画像１３２のいずれかを再生する。
【００９１】
書き出し部１４５は、変換部１４３で変換ＳＤＲ画像１３２の生成に用いられたパラメータ等の追加データ１３３を、記録媒体１０２に書き込む。
【００９２】
（１−２．動作）
次に、再生装置１０３の動作を説明する。
【００９３】
図５は、実施の形態１における再生装置１０３による再生動作の一例を示すフローチャートである。
【００９４】
なお、図６のフローチャートでは、ＨＤＲ画像１１２、ＳＤＲ画像１１３、および変換ＳＤＲ画像１３２のいずれかが表示装置１０４で表示されるときの動作例を説明する。
【００９５】
取得部１４１は、ＨＤＲ画像１１２とＳＤＲ画像１１３と変換判定用情報１１４とを含む画像データ１１１を取得する（ステップＳ１０１）。
【００９６】
次に、判定部１４２は、表示装置１０４がＨＤＲ画像１１２を表示可能か否か、を判定する（ステップＳ１０２）。すなわち、判定部１４２は、ステップＳ１０２において、表示装置１０４がＨＤＲ画像１１２の表示に対応しているか否か（ＨＤＲ画像１１２の表示機能を有するか否か）を判定する。判定部１４２は、例えば、表示装置１０４から、表示装置１０４がＨＤＲ画像１１２を表示可能であることを示す信号（図４に破線で示す）を受信した場合は、表示装置１０４はＨＤＲ画像１１２を表示可能である、と判断する。判定部１４２は、例えば、表示装置１０４から、表示装置１０４がＨＤＲ画像１１２を表示可能であることを示す信号を受信できない場合、または、表示装置１０４がＨＤＲ画像１１２を表示できない（ＳＤＲ画像１１３だけに対応している）ことを示す信号を受信した場合は、表示装置１０４はＨＤＲ画像１１２を表示できない、と判断する。あるいは、再生装置１０３を使用するユーザにより、再生装置１０３に、表示装置１０４がＨＤＲ画像１１２を表示可能か否かの設定がなされてもよい。
【００９７】
ステップＳ１０２において、表示装置１０４はＨＤＲ画像１１２を表示可能である、と判定部１４２が判定した場合（ステップＳ１０２でＹｅｓ）、再生部１４４は、ＨＤＲ画像１１２を再生する（ステップＳ１０３）。
【００９８】
ステップＳ１０２において、表示装置１０４はＨＤＲ画像１１２を表示可能でない、と判定部１４２が判定した場合（ステップＳ１０２でＮｏ）（言い換えると、表示装置１０４がＳＤＲ画像１１３の表示にのみ対応している場合）、判定部１４２は、変換判定用情報１１４を用いて、ＨＤＲ画像１１２から変換ＳＤＲ画像１３２を生成する変換を行うか否かを判定する（ステップＳ１０４）。
【００９９】
ステップＳ１０４において、ＨＤＲ画像１１２から変換ＳＤＲ画像１３２への変換を行う（ＨＤＲ画像１１２から変換ＳＤＲ画像１３２を生成する）と判定部１４２が判定した場合（ステップＳ１０４でＹｅｓ）、変換部１４３は、ＨＤＲ画像１１２から変換ＳＤＲ画像１３２を生成する（ステップＳ１０５）。
【０１００】
そして、再生部１４４は、生成された変換ＳＤＲ画像１３２を再生する（ステップＳ１０６）。
【０１０１】
書き出し部１４５は、変換ＳＤＲ画像１３２の生成に用いられたパラメータ等の追加データ１３３を、記録媒体１０２に書き込む（ステップＳ１０７）。
【０１０２】
ステップＳ１０４において、ＨＤＲ画像１１２から変換ＳＤＲ画像１３２への変換を行わない（変換ＳＤＲ画像１３２を生成しない）と判定部１４２が判定した場合（ステップＳ１０４でＮｏ）、再生部１４４は、ＨＤＲ画像１１２から変換ＳＤＲ画像１３２への変換は行わず、ステップＳ１０１で取得したＳＤＲ画像１１３を再生する（ステップＳ１０８）。
【０１０３】
そして、ステップＳ１０３、ステップＳ１０６、またはステップＳ１０８で再生された画像が表示装置１０４に表示される。
【０１０４】
以上のように、再生装置１０３は、ＳＤＲ画像を再生する際に、ＳＤＲ画像１１３をそのまま再生するか、ＨＤＲ画像１１２から変換ＳＤＲ画像１３２を生成し、生成した変換ＳＤＲ画像１３２を再生するか、を変換判定用情報１１４を用いて判定できる。これにより、再生装置１０３は、取得したＳＤＲ画像１１３の特性、または、表示装置１０４等の特性等に応じて、再生装置１０３に接続されている表示装置１０４での表示に好適な画像を再生できる。
【０１０５】
なお、再生装置１０３は、ステップＳ１０５で変換処理に用いられたパラメータ等を、ステップＳ１０７において記録媒体１０２に記録する。これにより、再生装置１０３は、画像データ１１１を表示装置１０４に再度表示する際に、ＨＤＲ画像１１２から変換ＳＤＲ画像１３２への変換処理の処理量を低減できるので、その処理にかかる時間を短縮できる。なお、このパラメータ等は、ヘッダ１１２Ａまたはヘッダ１１３Ａに格納されてもよく、あるいは、記録媒体１０２の独立した領域に記録されてもよい。
【０１０６】
なお、再生装置１０３は、ステップＳ１０７において、パラメータを記録媒体１０２に記録するのではなく、変換ＳＤＲ画像１３２を記録媒体１０２に記録してもよい。このとき、変換ＳＤＲ画像１３２は、記録媒体１０２の、ＳＤＲ画像１１３とは別の領域に記録されてもよく（すなわち、記録媒体１０２に、ＳＤＲ画像１１３と変換ＳＤＲ画像１３２とが記録されてもよく）、あるいは、ＳＤＲ画像１１３が記録された領域に変換ＳＤＲ画像１３２が上書きされてもよい（すなわち、記録媒体１０２からＳＤＲ画像１１３が削除され、ＳＤＲ画像１１３の代わりに変換ＳＤＲ画像１３２が記録されてもよい）。
【０１０７】
なお、再生装置１０３は、上記したパラメータ等に加え、再生時あるいは出力時のパラメータ、再生時のユーザ設定情報(エフェクト、等)、または再生装置１０３に接続されている表示装置１０４の情報、を記録媒体１０２に記録してもよい。
【０１０８】
次に、ステップＳ１０４の判定処理の具体例を説明する。
【０１０９】
まず、変換判定用情報１１４の具体例を説明する。
【０１１０】
図６は、実施の形態１における変換判定用情報１１４の構成の一例を模式的に示す図である。なお、変換判定用情報１１４は、図６に示す情報の少なくとも一部を含めばよい。
【０１１１】
図６に例示するように、変換判定用情報１１４は、例えば、ＨＤＲ画像情報１１４Ａと、ＳＤＲ画像情報１１４Ｂと、を含む。ＨＤＲ画像情報１１４Ａは、例えば、ＨＤＲ画像１１２のヘッダ１１２Ａに含まれる。
【０１１２】
ＨＤＲ画像情報１１４Ａは、ＨＤＲ画像１１２の輝度範囲（ダイナミックレンジ）に関する情報を含んでもよい。具体的には、ＨＤＲ画像情報１１４Ａは、画像中の輝度を示す情報（最高輝度または中心輝度、等）、または輝度範囲（ダイナミックレンジ）を含んでもよい。
【０１１３】
また、ＨＤＲ画像情報１１４Ａは、ＨＤＲ画像１１２を生成するための撮影に関する情報またはＨＤＲ画像１１２の生成に関する情報を含んでもよい。ＨＤＲ画像情報１１４Ａは、例えば、撮影が行われたときの撮影モード（ポートレート、花火、または夜景、等）、優先輝度範囲、ＨＤＲ画像１１２の画角、または撮影が行われたときの撮影パラメータ、等を示す情報を含んでもよい。撮影パラメータとは、シャッター速度、絞り（Ｆ値）、ＩＳＯ感度、測光モード、フラッシュの有無、露光補正ステップ値、および焦点距離、等である。なお、ＨＤＲ画像情報１１４Ａは、撮影日時、撮影機器のメーカー名、撮影機器のモデル名、画像全体の解像度、水平および垂直方向の単位あたりの解像度、撮影方向、または色空間を示す情報、を含んでもよい。
【０１１４】
なお、優先輝度範囲とは、ＨＤＲ画像１１２において優先されている輝度範囲（より多くのビットが割り当てられている輝度範囲）を示す。優先輝度範囲は、例えば、高輝度領域を優先した絵作りが行われた写真であるか、低輝度領域を優先した絵作りが行われた写真であるか、等を示すフラグである。なお、この情報は、優先する輝度範囲（高輝度または低輝度）を示す情報であってもよい。また、この情報は、ＨＤＲ画像１１２の生成に用いられたパラメータ（ＨＤＲ−ＥＯＴＦ、等）であってもよい。また、この情報は、撮影モードに応じて自動的に決定されてもよく、あるいは、画像編集時等にユーザにより設定されてもよい。
【０１１５】
ＳＤＲ画像情報１１４Ｂは、ＳＤＲ画像１１３に関する情報である。ＳＤＲ画像情報１１４Ｂは、例えば、ＳＤＲ画像１１３のヘッダ１１３Ａに含まれる。ＳＤＲ画像情報１１４Ｂは、例えば、ＳＤＲ画像１１３の画角、ＳＤＲ画像１１３の生成に用いられた変換パラメータ（ＳＤＲ−ＥＯＴＦ、等）、または、ＳＤＲ画像１１３を生成した装置を示す生成装置情報、等を含んでもよい。
【０１１６】
次に、ステップＳ１０４で判定部１４２により実行される判定処理の複数の具体例を、図７〜図９を用いて説明する。
【０１１７】
図７は、実施の形態１における判定処理の一例を示すフローチャートである。
【０１１８】
図７に示す動作例では、判定部１４２は、ＨＤＲ画像１１２の最大輝度が所定値（例えば、１００ｎｉｔ）以上であるか否かを判定する（ステップＳ１１１）。
【０１１９】
ステップＳ１１１においてＨＤＲ画像１１２の最大輝度は所定値以上であると判定された場合（ステップＳ１１１でＹｅｓ）、判定部１４２は、ＨＤＲ画像１１２から変換ＳＤＲ画像１３２への変換を行う、と判定する（ステップＳ１１２）。
【０１２０】
ステップＳ１１１においてＨＤＲ画像１１２の最大輝度は所定値未満であると判定された場合（ステップＳ１１１でＮｏ）、判定部１４２は、ＨＤＲ画像１１２から変換ＳＤＲ画像１３２への変換を行わない、と判定する（ステップＳ１１３）。
【０１２１】
この処理について説明する。ＨＤＲ画像１１２の最大輝度が、ＳＤＲ画像１１３でカバーされている１００ｎｉｔ未満の場合には、ＨＤＲ画像１１２から変換ＳＤＲ画像１３２への変換が行われることで、ＨＤＲ画像１１２の表示に対応していない表示装置１０４に表示される画像の画質が改善される可能性は低い。しかし、ＨＤＲ画像１１２の最大輝度が１００ｎｉｔ以上の場合には、ＨＤＲ画像１１２から変換ＳＤＲ画像１３２への変換が行われることで、ＳＤＲ画像１１３をそのまま表示装置１０４に表示する場合よりも、表示装置１０４に表示される画像の画質が改善される可能性がある。すなわち、表示装置１０４での表示に、より適した画像を生成できる可能性がある。したがって、図７のフローチャートに例示した判定処理を判定部１４２が行うことで、ＨＤＲ画像１１２の表示に対応していない表示装置１０４に、より適した画像を表示できる。
【０１２２】
なお、変換部１４３による変換処理においては、ＨＤＲ画像情報１１４Ａに含まれる優先輝度範囲が用いられてもよい。これにより、変換部１４３は、ＨＤＲ画像１１２の作成者の意図を反映した変換ＳＤＲ画像１３２を生成することができる。
【０１２３】
次に、図８を用いて、ステップＳ１０４で判定部１４２により実行される判定処理の他の具体例を説明する。
【０１２４】
図８は、実施の形態１における判定処理の他の一例を示すフローチャートである。
【０１２５】
図８に示す動作例では、判定部１４２は、ＳＤＲ画像１１３が表示装置１０４に最適であるかを判定する（ステップＳ１２１）。具体的には、判定部１４２は、ＳＤＲ画像１１３の画角が表示装置１０４の画角と一致するか否かを判定する。
【０１２６】
ステップＳ１２１において、ＳＤＲ画像１１３は表示装置１０４に最適でないと判定された場合（例えば、ＳＤＲ画像１１３の画角が表示装置１０４の画角と一致しない場合）（ステップＳ１２１でＮｏ）、判定部１４２は、ＨＤＲ画像１１２から変換ＳＤＲ画像１３２への変換を行う、と判定する（ステップＳ１２２）。この場合、変換部１４３により、表示装置１０４の画角と一致する変換ＳＤＲ画像１３２が生成される。
【０１２７】
ステップＳ１２１において、ＳＤＲ画像１１３は表示装置１０４に最適であると判定された場合（例えば、ＳＤＲ画像１１３の画角が表示装置１０４の画角と一致する場合）（ステップＳ１２１でＹｅｓ）、判定部１４２は、ＨＤＲ画像１１２から変換ＳＤＲ画像１３２への変換を行わない、と判定する（ステップＳ１２３）。
【０１２８】
なお、図８のフローチャートに例示した判定処理には、ＳＤＲ画像１１３の生成に用いられた変換パラメータが用いられてもよい。判定部１４２は、この変換パラメータと表示装置１０４の表示特性とに基づき、ＳＤＲ画像１１３が表示装置１０４に最適であるか否かを判定できる。
【０１２９】
また、図８のフローチャートに例示した判定処理には、ＳＤＲ画像を生成した装置に関する情報が用いられてもよい。具体的には、ＳＤＲ画像を生成した装置が再生装置１０３である場合、言い換えると、ＳＤＲ画像が、再生装置１０３においてＨＤＲ画像１１２から生成されて記録媒体１０２に書き込まれた変換ＳＤＲ画像１３２である場合には、再生装置１０３は、ＨＤＲ画像１１２から変換ＳＤＲ画像１３２への変換を再度行うことをせず、記録媒体１０２に書き込まれた変換ＳＤＲ画像１３２を読み出して使用してもよい。そして、そうでない場合（例えば、ＳＤＲ画像を生成した装置が生成装置１０１である場合）に、ＨＤＲ画像１１２から変換ＳＤＲ画像１３２への変換を行ってもよい。
【０１３０】
以上のように、図８のフローチャートに例示した判定処理では、再生装置１０３は、変換判定用情報１１４と表示装置１０４の特性とに基づき、ＨＤＲ画像１１２の表示に対応していない表示装置１０４での表示に、より適したＳＤＲ画像を生成できる可能性があるか否かを判定する。これにより、再生装置１０３は、ＨＤＲ画像１１２の表示に対応していない表示装置１０４に適した画像を再生できる。
【０１３１】
なお、再生装置１０３は、表示装置１０４の特性のみに基づき、ＨＤＲ画像１１２から変換ＳＤＲ画像１３２への変換を行うか否かを判定してもよい。
【０１３２】
次に、図９を用いて、ステップＳ１０４で判定部１４２により実行される判定処理のさらに他の具体例を説明する。
【０１３３】
図９は、実施の形態１における判定処理のさらに他の一例を示すフローチャートである。
【０１３４】
図９示す動作例では、判定部１４２は、ＨＤＲ画像１１２を生成するための撮影が行われたときの撮影モードが所定の撮影モードであるか否かを判定する（ステップＳ１３１）。
【０１３５】
ステップＳ１３１において、撮影モードは所定の撮影モードであると判定された場合（ステップＳ１３１でＹｅｓ）、判定部１４２は、ＨＤＲ画像１１２から変換ＳＤＲ画像１３２への変換を行う、と判定する（ステップＳ１３２）。
【０１３６】
ステップＳ１３１において、撮影モードは所定の撮影モードでないと判定された場合（ステップＳ１３１でＮｏ）、判定部１４２は、ＨＤＲ画像１１２から変換ＳＤＲ画像１３２への変換を行わない、と判定する（ステップＳ１３３）。
【０１３７】
なお、所定の撮影モードとは、輝度や色域等において違いが出やすい撮影モードであり、例えば、「夜景」の撮影モード等である。このように輝度等の影響が出やすい画像では、ＨＤＲ画像１１２から変換ＳＤＲ画像１３２への変換が行われることにより、ＨＤＲ画像１１２の表示に対応していない表示装置１０４での表示に、より好適な画像を生成できる可能性がある。したがって、図９のフローチャートに例示した判定処理を判定部１４２が行うことにより、再生装置１０３は、ＨＤＲ画像１１２の表示に対応していない表示装置１０４に、より好適な画像を再生できる。
【０１３８】
次に、生成装置１０１の動作例について説明する。
【０１３９】
図１０は、実施の形態１における生成装置１０１による画像データ生成処理の一例を示すフローチャートである。
【０１４０】
ＲＡＷ画像取得部１２１は、静止画であるＲＡＷデータ１３１を取得する（ステップＳ１４１）。ＲＡＷデータ１３１は、例えば、撮影装置である生成装置１０１によって撮影が行われることで、取得されてもよい。
【０１４１】
ＨＤＲ画像生成部１２２は、ＲＡＷデータ１３１に色補正等を行うことで、ＨＤＲ画像１１２を生成する（ステップＳ１４２）。
【０１４２】
ＳＤＲ画像生成部１２３は、ＲＡＷデータ１３１からＳＤＲ画像１１３を生成する（ステップＳ１４３）。
【０１４３】
出力部１２４は、ＨＤＲ画像１１２とＳＤＲ画像１１３と変換判定用情報１１４とを出力する（ステップＳ１４４）。
【０１４４】
なお、変換判定用情報１１４は、上述した通りの情報であり、ＲＡＷ画像取得部１２１、ＨＤＲ画像生成部１２２、およびＳＤＲ画像生成部１２３の少なくとも１つにより生成される。
【０１４５】
以上により、生成装置１０１は、変換判定用情報１１４を含む画像データ１１１を生成する。これにより、再生装置１０３は、ＳＤＲ画像１１３を再生するか、ＨＤＲ画像１１２から変換ＳＤＲ画像１３２を生成し、生成した変換ＳＤＲ画像１３２を再生するか、を変換判定用情報１１４を用いて適切に判定できる。
【０１４６】
［１−３．効果等］
以上のように、本実施の形態における再生方法は、画像を再生し、再生した画像を表示装置に出力する再生方法である。この再生方法は、同一シーンを示す静止画である高品位画像および第１低品位画像と、変換判定用情報とを取得する取得ステップと、表示装置が高品位画像を表示可能か否かを判定する第１判定ステップと、表示装置が高品位画像を表示可能である場合は高品位画像を再生する第１再生ステップと、表示装置が高品位画像を表示可能でない場合は、変換判定用情報を用いて、第２低品位画像を生成するか否かを判定する第２判定ステップと、第２低品位画像を生成しないと判定された場合は第１低品位画像を再生する第２再生ステップと、第２低品位画像を生成すると判定された場合は、高品位画像から第２低品位画像を生成し、当該第２低品位画像を再生する第３再生ステップと、を含む。
【０１４７】
なお、表示装置１０４は表示装置の一例である。ＨＤＲ画像１１２は高品位画像の一例である。ＳＤＲ画像１１３は第１低品位画像の一例である。変換判定用情報１１４は変換判定用情報の一例である。変換ＳＤＲ画像１３２は第２低品位画像の一例である。ステップＳ１０１は取得ステップの一例である。ステップＳ１０２は第１判定ステップの一例である。ステップＳ１０３は第１再生ステップの一例である。ステップＳ１０４は第２判定ステップの一例である。ステップＳ１０８は第２再生ステップの一例である。ステップＳ１０５およびステップＳ１０６は第３再生ステップの一例である。
【０１４８】
例えば、実施の形態１に例示した再生方法は、画像を再生し、再生した画像を表示装置１０４に出力する再生方法である。この再生方法は、同一シーンを示す静止画であるＨＤＲ画像１１２およびＳＤＲ画像１１３と、変換判定用情報１１４とを取得するステップＳ１０１と、表示装置１０４がＨＤＲ画像１１２を表示可能か否かを判定するステップＳ１０２と、表示装置１０４がＨＤＲ画像１１２を表示可能である場合はＨＤＲ画像１１２を再生するステップＳ１０３と、表示装置１０４がＨＤＲ画像１１２を表示可能でない場合は、変換判定用情報１１４を用いて、変換ＳＤＲ画像１３２を生成するか否かを判定するステップＳ１０４と、変換ＳＤＲ画像１３２を生成しないと判定された場合はＳＤＲ画像１１３を再生するステップＳ１０８と、変換ＳＤＲ画像１３２を生成すると判定された場合は、ＨＤＲ画像１１２から変換ＳＤＲ画像１３２を生成し、変換ＳＤＲ画像１３２を再生するステップＳ１０５およびステップＳ１０６と、を含む。
【０１４９】
この再生方法によれば、表示装置１０４がＨＤＲ画像１１２を表示可能でない場合に、ＳＤＲ画像１１３をそのまま再生するか、ＨＤＲ画像１１２から変換ＳＤＲ画像１３２を生成し、変換ＳＤＲ画像１３２を再生するか、を変換判定用情報１１４を用いて判定できる。これにより、当該再生方法は、当該再生画像を表示する表示装置１０４に好適な画像を再生できる。
【０１５０】
当該再生方法において、変換判定用情報は、高品位画像の輝度範囲に関する情報であってもよい。
【０１５１】
例えば、実施の形態１に示した例では、当該再生方法において、変換判定用情報１１４は、ＨＤＲ画像１１２の輝度範囲に関する情報であってもよい。
【０１５２】
この再生方法によれば、変換ＳＤＲ画像１３２を再生するか否かを、ＨＤＲ画像１１２の輝度範囲に基づき判定できる。
【０１５３】
当該再生方法において、変換判定用情報は、第１低品位画像の情報であってもよい。第２判定ステップでは、変換判定用情報と表示装置の性能とに基づき、第２低品位画像を生成するか否かを判定してもよい。
【０１５４】
例えば、実施の形態１に示した例では、当該再生方法において、変換判定用情報１１４は、ＳＤＲ画像１１３の情報であってもよい。ステップＳ１０４では、変換判定用情報１１４と表示装置１０４の性能とに基づき、変換ＳＤＲ画像１３２を生成するか否かを判定してもよい。
【０１５５】
この再生方法によれば、変換ＳＤＲ画像１３２を再生するか否かを、ＳＤＲ画像１１３の情報に基づき判定できる。
【０１５６】
当該再生方法において、変換判定用情報は、第１低品位画像の生成に用いられたパラメータであってもよい。
【０１５７】
例えば、実施の形態１に示した例では、当該再生方法において、変換判定用情報１１４は、ＳＤＲ画像１１３の生成に用いられたパラメータであってもよい。
【０１５８】
この再生方法によれば、ＳＤＲ画像１１３の生成に用いられたパラメータに基づき、変換ＳＤＲ画像１３２を再生するか否かを判定できる。
【０１５９】
当該再生方法において、変換判定用情報は、高品位画像の撮影に関する情報であってもよい。
【０１６０】
例えば、実施の形態１に示した例では、当該再生方法において、変換判定用情報１１４は、ＨＤＲ画像１１２の生成に用いられるＲＡＷデータ１３１取得時の撮影に関する情報であってもよい。
【０１６１】
この再生方法によれば、ＨＤＲ画像１１２を生成するための撮影に関する情報に基づき、変換ＳＤＲ画像１３２を再生するか否かを判定できる。
【０１６２】
当該再生方法において、変換判定用情報は、高品位画像の撮影に用いられた撮影モードを示してもよい。第２判定ステップでは、撮影モードが予め定められた撮影モードである場合は、第２低品位画像を生成する、と判定してもよい。
【０１６３】
なお、「夜景」の撮影モードは、予め定められた撮影モードの一例である。
【０１６４】
例えば、実施の形態１に示した例では、当該再生方法において、変換判定用情報１１４は、ＨＤＲ画像１１２の生成に用いられるＲＡＷデータ１３１取得時の撮影に用いられた撮影モードを示してもよい。ステップＳ１０４では、撮影モードが「夜景」の撮影モードである場合は、変換ＳＤＲ画像１３２を生成する、と判定してもよい。
【０１６５】
この再生方法によれば、ＨＤＲ画像１１２を生成するための撮影に用いられた撮影モードに基づき、変換ＳＤＲ画像１３２を再生するか否かを判定できる。
【０１６６】
当該再生方法は、第２低品位画像を生成すると判定された場合に、第２低品位画像の生成に用いられたパラメータを記録媒体に書き込む書き込みステップをさらに含んでもよい。
【０１６７】
なお、記録媒体１０２は記録媒体の一例である。ステップＳ１０７は書き込みステップの一例である。
【０１６８】
例えば、実施の形態１に示した例では、当該再生方法は、変換ＳＤＲ画像１３２を生成すると判定された場合に、変換ＳＤＲ画像１３２の生成に用いられたパラメータを記録媒体１０２に書き込むステップＳ１０７をさらに含んでもよい。
【０１６９】
この再生方法によれば、変換ＳＤＲ画像１３２の再生を再度行う場合の処理量を低減できる。
【０１７０】
本実施の形態において、生成方法は、ＲＡＷデータを取得する取得ステップと、ＲＡＷデータから静止画である高品位画像を生成する第１生成ステップと、ＲＡＷデータから高品位画像と同一シーンを示す第１低品位画像を生成する第２生成ステップと、高品位画像および第１低品位画像を出力するとともに、再生装置に接続されている表示装置が高品位画像を表示可能でない場合において、再生装置が、（１）第１低品位画像を再生するか、（２）高品位画像から第２低品位画像を生成し、当該第２低品位画像を再生するか、を再生装置が判定するための変換判定用情報を出力する出力ステップと、を含む。
【０１７１】
なお、再生装置１０３は再生装置の一例である。ＲＡＷデータ１３１はＲＡＷデータの一例である。ステップＳ１４１は取得ステップの一例である。ステップＳ１４２は第１生成ステップの一例である。ステップＳ１４３は第２生成ステップの一例である。ステップＳ１４４は出力ステップの一例である。
【０１７２】
例えば、実施の形態１に示した例では、当該生成方法は、ＲＡＷデータ１３１を取得するステップＳ１４１と、ＲＡＷデータ１３１から静止画であるＨＤＲ画像１１２を生成するステップＳ１４２と、ＲＡＷデータ１３１からＨＤＲ画像１１２と同一シーンを示すＳＤＲ画像１１３を生成するステップＳ１４３と、ＨＤＲ画像１１２およびＳＤＲ画像１１３を出力するとともに、再生装置１０３に接続されている表示装置１０４がＨＤＲ画像１１２を表示可能でない場合において、再生装置１０３が、（１）ＳＤＲ画像１１３を再生するか、（２）ＨＤＲ画像１１２から変換ＳＤＲ画像１３２を生成し、変換ＳＤＲ画像１３２を再生するか、を再生装置１０３が判定するための変換判定用情報１１４を出力するステップＳ１４４と、を含む。
【０１７３】
この生成方法によれば、ＨＤＲ画像１１２とＳＤＲ画像１１３と変換判定用情報１１４とが出力される。したがって、それらの画像および情報を取得した再生装置１０３は、再生装置１０３に接続されている表示装置１０４がＨＤＲ画像１１２を表示可能でない場合に、ＳＤＲ画像１１３をそのまま再生するか、ＨＤＲ画像１１２から変換ＳＤＲ画像１３２を生成し、変換ＳＤＲ画像１３２を再生するか、を変換判定用情報１１４を用いて判定できる。これにより、再生装置１０３は、再生装置１０３に接続されている表示装置１０４に好適な画像を再生できる。
【０１７４】
当該生成方法において、変換判定用情報は、高品位画像の輝度範囲に関する情報であってもよい。
【０１７５】
例えば、実施の形態１に示した例では、当該生成方法において、変換判定用情報１１４は、ＨＤＲ画像１１２の輝度範囲に関する情報であってもよい。
【０１７６】
この生成方法によれば、変換判定用情報１１４を取得した再生装置１０３は、ＨＤＲ画像１１２の輝度範囲に基づき、変換ＳＤＲ画像１３２を再生するか否かを判定できる。
【０１７７】
当該生成方法において、変換判定用情報は、第１低品位画像の情報であってもよい。
【０１７８】
例えば、実施の形態１に示した例では、当該生成方法において、変換判定用情報１１４は、ＳＤＲ画像１１３の情報であってもよい。
【０１７９】
この生成方法によれば、変換判定用情報１１４を取得した再生装置１０３は、ＳＤＲ画像１１３の情報に基づき、変換ＳＤＲ画像１３２を再生するか否かを判定できる。
【０１８０】
当該生成方法において、変換判定用情報は、第１低品位画像の生成に用いられたパラメータであってもよい。
【０１８１】
例えば、実施の形態１に示した例では、当該生成方法において、変換判定用情報１１４は、ＳＤＲ画像１１３の生成に用いられたパラメータであってもよい。
【０１８２】
この生成方法によれば、変換判定用情報１１４を取得した再生装置１０３は、ＳＤＲ画像１１３の生成に用いられたパラメータに基づき、変換ＳＤＲ画像１３２を再生するか否かを判定できる。
【０１８３】
当該生成方法において、変換判定用情報は、高品位画像の撮影に関する情報であってもよい。
【０１８４】
例えば、実施の形態１に示した例では、当該生成方法において、変換判定用情報１１４は、ＨＤＲ画像１１２の生成に用いられるＲＡＷデータ１３１取得時の撮影に関する情報であってもよい。
【０１８５】
この生成方法によれば、変換判定用情報１１４を取得した再生装置１０３は、ＨＤＲ画像１１２を生成するための撮影に関する情報に基づき、変換ＳＤＲ画像１３２を再生するか否かを判定できる。
【０１８６】
当該生成方法において、変換判定用情報は、高品位画像の撮影に用いられた撮影モードを示してもよい。
【０１８７】
例えば、実施の形態１に示した例では、当該生成方法において、変換判定用情報１１４は、ＨＤＲ画像１１２の生成に用いられるＲＡＷデータ１３１取得時の撮影に用いられた撮影モードを示してもよい。
【０１８８】
この生成方法によれば、変換判定用情報１１４を取得した再生装置１０３は、ＨＤＲ画像１１２を生成するための撮影に用いられた撮影モードに基づき、変換ＳＤＲ画像１３２を再生するか否かを判定できる。
【０１８９】
本実施の形態において、再生装置は、画像を再生し、再生した画像を表示装置に出力する再生装置である。この再生装置は、同一シーンを示す静止画である高品位画像および第１低品位画像と、変換判定用情報とを取得する取得部と、表示装置が高品位画像を表示可能か否かを判定し、表示装置が高品位画像を表示可能でない場合は、変換判定用情報を用いて、第２低品位画像を生成するか否かを判定する判定部と、（１）表示装置が高品位画像を表示可能である場合は高品位画像を再生し、（２）第２低品位画像を生成しないと判定された場合は第１低品位画像を再生し、（３）第２低品位画像を生成すると判定された場合は、高品位画像から第２低品位画像を生成し、当該第２低品位画像を再生する再生部と、を備える。
【０１９０】
なお、取得部１４１は取得部の一例である。判定部１４２は判定部の一例である。再生部１４４は再生部の一例である。
【０１９１】
例えば、実施の形態１に示した例では、再生装置１０３は、画像を再生し、再生した画像を表示装置１０４に出力する。再生装置１０３は、同一シーンを示す静止画であるＨＤＲ画像１１２およびＳＤＲ画像１１３と、変換判定用情報１１４とを取得する取得部１４１と、表示装置１０４がＨＤＲ画像１１２を表示可能か否かを判定し、表示装置１０４がＨＤＲ画像１１２を表示可能でない場合は、変換判定用情報１１４を用いて、変換ＳＤＲ画像１３２を生成するか否かを判定する判定部１４２と、（１）表示装置１０４がＨＤＲ画像１１２を表示可能である場合はＨＤＲ画像１１２を再生し、（２）変換ＳＤＲ画像１３２を生成しないと判定された場合はＳＤＲ画像１１３を再生し、（３）変換ＳＤＲ画像１３２を生成すると判定された場合は、ＨＤＲ画像１１２から変換ＳＤＲ画像１３２を生成し、変換ＳＤＲ画像１３２を再生する再生部１４４と、を備える。
【０１９２】
この構成によれば、再生装置１０３は、再生装置１０３に接続されている表示装置１０４がＨＤＲ画像１１２を表示可能か否かを判定し、表示可能でない場合は、ＳＤＲ画像１１３をそのまま再生するか、ＨＤＲ画像１１２から変換ＳＤＲ画像１３２を生成し、変換ＳＤＲ画像１３２を再生するか、を変換判定用情報１１４を用いて判定できる。これにより、再生装置１０３は、再生装置１０３に接続されている表示装置１０４に好適な画像を再生できる。
【０１９３】
本実施の形態において、生成装置は、ＲＡＷデータを取得する取得部と、ＲＡＷデータから静止画である高品位画像を生成する第１生成部と、ＲＡＷデータから高品位画像と同一シーンを示す第１低品位画像を生成する第２生成部と、高品位画像および第１低品位画像を出力するとともに、再生装置に接続されている表示装置が高品位画像を表示可能でない場合において、再生装置が、（１）第１低品位画像を再生するか、（２）高品位画像から第２低品位画像を生成し、当該第２低品位画像を再生するか、を再生装置が判定するための変換判定用情報を出力する出力部と、を備える。
【０１９４】
なお、生成装置１０１は生成装置の一例である。ＲＡＷ画像取得部１２１は取得部の一例である。ＨＤＲ画像生成部１２２は第１生成部の一例である。ＳＤＲ画像生成部１２３は第２生成部の一例である。出力部１２４は出力部の一例である。
【０１９５】
例えば、実施の形態１に示した例では、生成装置１０１は、ＲＡＷデータ１３１を取得するＲＡＷ画像取得部１２１と、ＲＡＷデータ１３１から静止画であるＨＤＲ画像１１２を生成するＨＤＲ画像生成部１２２と、ＲＡＷデータ１３１からＨＤＲ画像１１２と同一シーンを示すＳＤＲ画像１１３を生成するＳＤＲ画像生成部１２３と、ＨＤＲ画像１１２およびＳＤＲ画像１１３を出力するとともに、再生装置１０３に接続されている表示装置１０４がＨＤＲ画像１１２を表示可能でない場合において、再生装置１０３が、（１）ＳＤＲ画像１１３を再生するか、（２）ＨＤＲ画像１１２から変換ＳＤＲ画像１３２を生成し、変換ＳＤＲ画像１３２を再生するか、を再生装置１０３が判定するための変換判定用情報１１４を出力する出力部１２４と、を備える。
【０１９６】
この構成によれば、生成装置１０１から、ＨＤＲ画像１１２と第１低品位画像と変換判定用情報１１４とが出力される。したがって、それらの画像および情報を取得した再生装置１０３は、再生装置１０３に接続されている表示装置１０４がＨＤＲ画像１１２を表示可能でない場合に、ＳＤＲ画像１１３をそのまま再生するか、ＨＤＲ画像１１２から変換ＳＤＲ画像１３２を生成し、変換ＳＤＲ画像１３２を再生するか、を変換判定用情報１１４を用いて判定できる。これにより、再生装置１０３は、再生装置１０３に接続されている表示装置１０４に好適な画像を再生できる。
【０１９７】
本実施の形態において、記録媒体は、静止画である高品位画像と、高品位画像と同一シーンを示す第１低品位画像と、再生装置に接続されている表示装置が高品位画像を表示可能でない場合において、再生装置が、（１）第１低品位画像を再生するか、（２）高品位画像から第２低品位画像を生成し、当該第２低品位画像を再生するか、を再生装置が判定するための変換判定用情報と、が記録されている。
【０１９８】
なお、記録媒体１０２、１０２Ａ、１０２Ｂは、それぞれが記録媒体の一例である。
【０１９９】
例えば、実施の形態１に示した例では、記録媒体１０２は、静止画であるＨＤＲ画像１１２と、ＨＤＲ画像１１２と同一シーンを示すＳＤＲ画像１１３と、再生装置１０３に接続されている表示装置１０４がＨＤＲ画像１１２を表示可能でない場合において、再生装置１０３が、（１）ＳＤＲ画像１１３を再生するか、（２）ＨＤＲ画像１１２から変換ＳＤＲ画像１３２を生成し、変換ＳＤＲ画像１３２を再生するか、を再生装置１０３が判定するための変換判定用情報１１４と、が記録されている。または、記録媒体１０２Ａには、ＨＤＲ画像１１２および変換判定用情報１１４が記録され、記録媒体１０２Ｂには、ＳＤＲ画像１１３が記録されている。
【０２００】
この構成によれば、記録媒体１０２（１０２Ａ、１０２Ｂ）には、ＨＤＲ画像１１２とＳＤＲ画像１１３と変換判定用情報１１４とが記録されている。したがって、再生装置１０３は、それらの画像および情報を記録媒体１０２（１０２Ａ、１０２Ｂ）から取得することで、再生装置１０３に接続されている表示装置１０４がＨＤＲ画像１１２を表示可能でない場合に、ＳＤＲ画像１１３をそのまま再生するか、ＨＤＲ画像１１２から変換ＳＤＲ画像１３２を生成し、変換ＳＤＲ画像１３２を再生するか、を変換判定用情報１１４を用いて判定できる。これにより、再生装置１０３は、再生装置１０３に接続されている表示装置１０４に好適な画像を再生できる。
【０２０１】
本実施の形態において、他の様態の記録媒体は、静止画である高品位画像と、再生装置に接続されている表示装置が高品位画像を表示可能でない場合において、再生装置が、高品位画像から第２低品位画像を生成し、当該第２低品位画像を再生するか否かを再生装置が判定するための変換判定用情報と、が記録されている。
【０２０２】
例えば、実施の形態１に示した例では、記録媒体１０２（１０２Ａ）は、静止画であるＨＤＲ画像１１２と、再生装置１０３に接続されている表示装置１０４がＨＤＲ画像１１２を表示可能でない場合において、再生装置１０３が、ＨＤＲ画像１１２から変換ＳＤＲ画像１３２を生成し、変換ＳＤＲ画像１３２を再生するか否かを再生装置１０３が判定するための変換判定用情報１１４と、が記録されている。
【０２０３】
この構成によれば、記録媒体１０２（１０２Ａ）には、ＨＤＲ画像１１２と変換判定用情報１１４とが記録されている。したがって、再生装置１０３は、それらの画像および情報を記録媒体１０２（１０２Ａ）から取得することで、再生装置１０３に接続されている表示装置１０４がＨＤＲ画像１１２を表示可能でない場合に、ＨＤＲ画像１１２から変換ＳＤＲ画像１３２を生成し、変換ＳＤＲ画像１３２を再生するか否かを、変換判定用情報１１４を用いて判定できる。これにより、再生装置１０３は、再生装置１０３に接続されている表示装置１０４に好適な画像を再生できる。
【０２０４】
（他の実施の形態）
以上のように、本出願において開示する技術の例示として、実施の形態１を説明した。しかしながら、本開示における技術は、これに限定されず、変更、置き換え、付加、省略等を行った実施の形態にも適用できる。また、上記実施の形態１で説明した各構成要素を組み合わせて、新たな実施の形態とすることも可能である。
【０２０５】
実施の形態１では、ＨＤＲ画像とＳＤＲ画像とが用いられる構成例について説明したが、本開示はこの構成例に限定されない。例えば、互いに関連付けられた高品位画像と低品位画像とに対して、取得した第１低品位画像をそのまま再生するか、高品位画像から第２低品位画像を生成し、当該第２低品位画像を再生するか、を切り替える場合にも、実施の形態１に開示した手法と同様の手法を適用できる。
【０２０６】
なお、本開示において、高品位画像と低品位画像とは、互いに同一のシーン（内容）を示す画像である。また、実施の形態１では、高品位画像と低品位画像との一例として、ＨＤＲ画像とＳＤＲ画像とを示したが、本開示は何らこれに限定されない。高品位画像と低品位画像とは、例えば、ＨＤＲ画像とＳＤＲ画像とのように輝度範囲（ダイナミックレンジ）が互いに異なる画像であってもよい。また、高品位画像と低品位画像とは、例えば、解像度が互いに異なる画像であってもよく、例えば、ＵＨＤ（３８４０×２１６０画素）の画像とＨＤ（１９２０×１０８０画素）の画像とであってもよい。また、高品位画像と低品位画像とは、例えば、ビット深度が互いに異なる画像であってもよく、例えば、１０ビットの画像と８ビットの画像とであってもよい。また、高品位画像と低品位画像とは、例えば、色解像度が互いに異なる画像であってもよく、例えば、４：４：４フォーマットの画像と４：２：０フォーマットの画像とであってもよい。また、高品位画像と低品位画像とは、例えば、色域の広さ（色空間）が互いに異なる画像であってもよく、例えば、Ｒｅｃ．ＩＴＵ＿Ｒ  ＢＴ２０２０の画像とＲｅｃ．ＩＴＵ＿Ｒ  ＢＴ７０９の画像とであってもよく、あるいは、ＡｄｏｂｅＲＧＢの画像とｓＲＧＢの画像とであってもよい。また、高品位画像と低品位画像とは、これらのうちの複数が組み合わされた画像であってもよい。なお、ビット深度とは、１ピクセル（画素）を構成する量子化ビット数である。
【０２０７】
なお、再生装置１０３と表示装置１０４とは、互いに有線接続されていてもよく、あるいは、互いに無線接続されていてもよい。
【０２０８】
なお、実施の形態１で説明した再生装置１０３、または生成装置１０１に含まれる各処理部は、集積回路であるＬＳＩ（Ｌａｒｇｅ  Ｓｃａｌｅ  Ｉｎｔｅｇｒａｔｉｏｎ）として実現されてもよい。これらの処理部は個別に１チップのＩＣ（Ｉｎｔｅｇｒａｔｅｄ  Ｃｉｒｃｕｉｔ）化がなされてもよいし、一部または全ての処理部を含むように１チップのＩＣ化がなされてもよい。
【０２０９】
また、各処理部は、ＬＳＩまたはＩＣに限定されるものではなく、専用回路または汎用プロセッサで実現されてもよい。あるいは、回路構成をプログラムすることが可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続や設定を再構成可能なリコンフィギュラブル・プロセッサで実現されてもよい。
【０２１０】
また、上記の実施の形態において、各構成要素は、専用のハードウェアで構成されてもよく、あるいは、各構成要素に適したソフトウェアプログラムをプロセッサが実行することによって実現されてもよい。各構成要素は、ＣＰＵ（Ｃｅｎｔｒａｌ  Ｐｒｏｃｅｓｓｉｎｇ  Ｕｎｉｔ）またはプロセッサ等のプログラム実行部が、ハードディスクまたは半導体メモリ等の記録媒体に記録されたソフトウェアプログラムを読み出して実行することによって実現されてもよい。
【０２１１】
また、実施の形態で図面に示したブロック図における機能ブロックの分割は、単なる一例に過ぎない。例えば、複数の機能ブロックを１つの機能ブロックとして実現したり、あるいは、１つの機能ブロックを複数に分割したり、または、一部の機能を他の機能ブロックに移してもよい。また、複数の機能ブロックの機能を、単一のハードウェアまたはソフトウェアが、並列に処理してもよく、または時分割に処理してもよい。
【０２１２】
また、実施の形態で図面に示したフローチャートにおける各ステップが実行される順序は、単なる一例に過ぎず、実施の形態で説明した順序とは異なる順序で各ステップが実行されてもよい。また、上記ステップの一部が、他のステップと同時に（すなわち、並列に）実行されてもよい。
【０２１３】
本開示では、１つまたは複数の態様に係る再生装置および生成装置について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、１つまたは複数の様態の範囲内に含まれてもよい。
【０２１４】
なお、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２１５】
また、上述の実施の形態は、本開示における技術を例示するためのものであるから、特許請求の範囲またはその均等の範囲において種々の変更、置き換え、付加、省略などを行うことができる。
【産業上の利用可能性】
【０２１６】
本開示は、レコーダ等の再生装置、および、カメラまたは編集装置等の生成装置に適用できる。
【符号の説明】
【０２１７】
１００Ａ，１００Ｂ    再生システム
１０１    生成装置
１０２，１０２Ａ，１０２Ｂ    記録媒体
１０３    再生装置
１０４    表示装置
１１１，１１１Ａ，１１１Ｂ    画像データ
１１２    ＨＤＲ画像
１１２Ａ，１１３Ａ    ヘッダ
１１３    ＳＤＲ画像
１１４    変換判定用情報
１１４Ａ    ＨＤＲ画像情報
１１４Ｂ    ＳＤＲ画像情報
１２１    ＲＡＷ画像取得部
１２２    ＨＤＲ画像生成部
１２３    ＳＤＲ画像生成部
１２４    出力部
１３１    ＲＡＷデータ
１３２    変換ＳＤＲ画像
１３３    追加データ
１４１    取得部
１４２    判定部
１４３    変換部
１４４    再生部
１４５    書き出し部
【図１Ａ】
2018062062.tif 000003
【図１Ｂ】
2018062062.tif 000004
【図２Ａ】
2018062062.tif 000005
【図２Ｂ】
2018062062.tif 000006
【図３】
2018062062.tif 000007
【図４】
2018062062.tif 000008
【図５】
2018062062.tif 000009
【図６】
2018062062.tif 000010
【図７】
2018062062.tif 000011
【図８】
2018062062.tif 000012
【図９】
2018062062.tif 000013
【図１０】
2018062062.tif 000014
【国際調査報告】
2018062062.tif 000015
2018062062.tif 000016
2018062062.tif 000017
2018062062.tif 000018